(57)【特許請求の範囲】
【請求項１】
車両の複数の無線式のタイヤ状況センサからデータを送信するための衝突回避方法であって、各無線式タイヤ状況センサは固有のＩＤ（識別）及び時間が異なる複数のウエイクアップ時間を有し、前記無線タイヤ状況センサがタイヤ状況情報を感知すべく動作した後に、各無線タイヤ状況センサによって実行される衝突回避の前記方法は、
その前記ＩＤを読み取り、該ＩＤと第１の変数とで決定値を得るべく計算すること、
前記決定値が予め設定された条件を満たしているか否かを判定すること、
前記決定値に従って前記ウエイクアップ時間の一つを選択すること、
前記選択されたウエイクアップ時間が経過した後、前記感知されたタイヤ状況情報を送信すること、
更新計算条件を満たしているか否かを判定すること、及び
前記更新計算条件を満たしていれば、前記ＩＤ及び第２の変数で新たな決定値を計算し、また前記決定値が前記予め設定された条件を満たしているか否かを判定する前記ステップを再開すること、
の各ステップを含む、衝突回避方法。
【請求項２】
前記更新計算条件は、前記無線式タイヤ状況センサがある期間にわたって作動しているか否かを判定するために使われる、請求項１に記載の衝突回避方法。
【請求項３】
前記更新計算条件は、前記無線タイヤ状況センサが予め設定された時間にわたって前記感知されたタイヤ条件情報を伝えたか否かを判定するために使われる、請求項１に記載の衝突回避方法。
【請求項４】
前記更新された決定値の計算は、前記ＩＤ及び第１の変数を加算することによって実行される、請求項２又は３に記載の衝突回避方法。
【請求項５】
車両の複数の無線式のタイヤ状況センサからデータを送信するための衝突回避方法であって、各無線式タイヤ状況センサは固有のＩＤ（識別）及び複数の異なる時間ギャプを有し、各時間ギャップは対応する無線タイヤ状況センサの２つの連続する送信間で規定され、前記無線タイヤ状況センサがタイヤ状況情報を感知すべく動作した後に、各無線タイヤ状況センサによって実行される衝突回避の前記方法は、
その前記ＩＤを読み取り、該ＩＤと第１の変数とで決定値を得るべく計算すること、
前記決定値が予め設定された条件を満たしているか否かを判定すること、
前記決定値に従って前記時間ギャップの一つを選択すること、
前記選択された時間ギャップに従って前記感知されたタイヤ状況情報を送信すること、
更新計算条件を満たしているか否かを判定すること、及び
前記更新計算条件を満たしていれば、前記ＩＤ及び第２の変数で新たな決定値を計算し、また前記決定値が前記予め設定された条件を満たしているか否かを判定する前記ステップを再開すること、
の各ステップを含む、衝突回避方法。
【請求項６】
前記更新計算条件は、前記無線式タイヤ状況センサがある期間にわたって作動しているか否かを判定するために使われる、請求項５に記載の衝突回避方法。
【請求項７】
前記更新計算条件は、前記無線タイヤ状況センサが予め設定された時間にわたって前記感知されたタイヤ条件情報を伝えたか否かを判定するために使われる、請求項５に記載の衝突回避方法。
【請求項８】
前記更新された決定値の計算は、前記ＩＤ及び第１の変数を加算することによって実行される、請求項６又は７に記載の衝突回避方法。
【発明の詳細な説明】
【技術分野】
【０００１】
本発明は、複数の無線式タイヤ状況センサからデータを送信するための方法に関し、より詳細には、複数の無線式タイヤ状況センサからデータを送信するための衝突回避の方法に関する。
【背景技術】
【０００２】
タイヤは車両の最も重要な要素の一つである。タイヤの状態は安全運転に極めて重要である。タイヤの空気圧をドライバが常に自覚することを容易にするために、ほとんどの新しい車には、無線式のタイヤ空気圧監視システムが付属する。前記無線式圧力監視システムは、車両のすべてのタイヤのそれぞれに設置された複数の無線タイヤ状況センサを有し、周期的又は無作為に得られたタイヤ圧力情報を車内の無線タイヤ圧力受信機に無線で送信し、また、前記無線式圧力監視システムは、前記タイヤ空気圧情報を分析し、ドライバが迅速にタイヤ空気圧の異常状態に対応するように、前記無線式タイヤ圧力受信機によって表示する結果として、ドライバにタイヤ圧力情報を提供し続ける。
【０００３】
図３を参照するに、従来の無線式タイヤ空気圧監視システムは、少なくとも４つの無線式タイヤ状況センサ７１〜７４と、無線タイヤ圧力受信機７０とを備える。各無線式タイヤ状況センサ７１〜７４は、制御装置、検出素子、無線高周波送信回路、無線低周波受信回路及び電源を有する。各無線式タイヤ状況センサ７１〜７４は、納入前に排他的な８ビットコード又はより高ビットのコードを有する。
【０００４】
作動時、各無線式タイヤ圧力センサ７１〜７４が、周期的に又は無作為に感知されたタイヤ圧力情報と、無線タイヤ圧力受信機７０に符号化されたその排他的コードとを送信するためにワイアレス高周波送信回路を使い始める。無線タイヤ圧力受信機７０は、符号化された情報を受信し復号化した後、受信したタイヤ状況情報が自車の情報に関連するか他の車両から来たかを確認するために、最初に排他的なコードをチェックする。後者が事実であるならば、受信したタイヤ状況情報は、他の車のタイヤ状況情報についての続く処理を避けるために破棄される。前者が事実であるならば、無線タイヤ圧力受信機７０は、受信したタイヤ状況情報がどのタイヤから来たかを決定し、さらに、タイヤ空気圧、温度及びタイヤ状況情報に含まれている他の関連したパラメータを分析する。
【０００５】
単一の無線タイヤ圧力受信機７０が単独ですべての無線式タイヤ状況センサ７１〜７４からタイヤ状況情報を受信するので、実現可能な方法は、車両のすべての無線式タイヤ状況センサ７１〜７４のデータ通信時間を分離することである。理論上実現可能ではあるが、各無線式タイヤ状況センサ７１〜７４のデータ通信周期が固定されていると、無線式タイヤ状況センサ７１〜７４がある期間データを送信し続ける結果、いくつかの無線式タイヤ状況センサ７１〜７４のデータ通信周期が重複する。それ故、無線式タイヤ状況センサ７１〜７４のデータ通信周期が重複すると、無線タイヤ圧力受信機７０でデータ衝突が生じる。
【０００６】
無線式タイヤ状況センサ７１〜７４のデータ通信周期の重複を解消するための他の方法は、各無線式タイヤ状況センサ７１〜７４のデータ通信周期のデータ通信頻度を増大させることである。従来の無線式タイヤ状況センサ７１〜７４は、実際に一つのデータ送信周期にタイヤ状況情報を複数回送信する。各データ通信周期でタイヤ状況情報を送信する頻度が増大すると、データ衝突の可能性は相対的に低減され、無線式タイヤ圧力センサ７１〜７４によって伝えられるタイヤ状況情報のすべては、無線タイヤ圧力受信機７０によって順調に受信することができる。  
【０００７】
同様な技術は、名称が「遠隔タイヤ空気圧監視システムにおけるデータ伝達方法（Method for communicating data in a remote tire pressure monitoring system）」の米国特許第６，４８６，７７３号明細書に開示されており、該明細書では、各無線式タイヤ状況センサ７１〜７４センサは、一つのデータ通信周期にタイヤ状況情報を複数回送信し、また無線式タイヤ圧力センサ７１〜７４が前記タイヤ状況情報のデータ通信が生じる時間を待つためのウエイクアップ時間は、他の無線式タイヤ圧力センサ７１〜７４のタイヤ状況情報のデータ通信が起こる同様なタイムスポットを待つ前記他の無線式タイヤ圧力センサ７１〜７４のための時間間隔とは異なる時間間隔に予め設定することができる。データ通信周期が４２マイクロ秒（μｓ）であり各データ通信中のデータ通信の合計回数が８であれば、無線式タイヤ圧力センサ７１の一つは（６、８、６、６、 ４、４、４、４）で表されているウエイクアップ時系列で予め設定され、他の無線式タイヤ状況センサ７２は（４、４、６、８、６、６、４、４）で表される異なるウエイクアップ時系列で予め設定され、ウエイクアップ時間はマイクロ秒で測定される。一つのデータ通信周期では、最初にタイヤ状況情報を送信する前に、無線式タイヤ状況センサ７１は、最初に６μｓを待ち、次に、２度目にタイヤ状況情報を送信する前に、８μｓを待ち、また残りの６回のタイヤ状況情報をそれぞれ送信する前に、残りのウエイクアップ時系列（６、６、４、４、４、４）で待つ。同様に、無線式タイヤ状況センサ７２は、そのタイヤ状況情報をウエイクアップ時系列（４、４、６、８、６、６、４、４）に従って８回送信する。前記方法を考慮するに、無線タイヤ圧力受信機７０が無線式タイヤ状況センサ７１〜７４間のデータ衝突のために無線式タイヤ状況センサ７１〜７４のいずれか一つから送信されたタイヤ状況情報を失わないこと保証するために、各無線式タイヤ状況センサ７１〜７４は、各データ通信周期で同一のタイヤ状況情報を複数回送信することができる。
【０００８】
名称が「感知されたタイヤの信号を無線通信するための方法（Method for wirelessly transmitting sensed signals of tires）」の台湾特許第２００７３６０７９号公報又は米国特許第７，２６９，５３０号明細書は、各無線式タイヤ状況センサ７１〜７４が一つのデータ通信周期で同じタイヤ状況情報を複数回送信することを開示する。無線タイヤ圧力受信機７０が無線式タイヤ状況センサ７１〜７４間のデータ衝突のために無線式タイヤ状況センサ７１〜７４のいずれか一つから送信されたタイヤ状況情報を失わないこと保証するために、ウエイクアップ時系列は、同様に、一つのデータ通信周期で各無線式タイヤ状況センサ７１〜７４の同じタイヤ状況情報が複数回送信されるように設定されている。この方法は、さらにタイヤの各回転に費やされる時間を計算するために車両の加速を考慮し、タイヤ状況情報のためのデータ通信の回数に回転毎の時間を割り当てている点で前述の方法と異なる。例えば、タイヤの各回転が９０μｓであり、タイヤ状況情報のためのデータ通信回数Ｎ＝３であると仮定すると、タイヤ状況情報を一回伝えるためのウエイクアップ時間に割り当てられる時間は３０μｓであり、すなわち、各無線式タイヤ状況センサ７１〜７４は、順次タイヤの回転毎に同じウエイクアップ時間で同じタイヤ状況情報を三度送信する。
【０００９】
しかしながら、各無線式タイヤ状況センサ７１〜７４が対応するタイヤに密封して設置されるという点で前述の両方法は欠点があり、無線式タイヤ状況センサ７１〜７４のバッテリの取り替えは、通常の電子装置ほどに便利でない。それゆえ、無線式タイヤ状況センサ７１〜７４は、電源管理の面で効率的にする必要がある。各データ通信周期におけるデータ通信のより高い頻度は、無線式タイヤ状況センサ７１〜７４のための電源管理の原則と矛盾するより多くの電力消費を引き起こす。
【００１０】
名称が「タイヤ状況監視装置（Tire condition monitoring apparatus）」の米国特許第６，９３１，９２３号明細書は、送受信器４０と、４つのトランスポンダ３０とを備える他の技術を開示する。送受信器４０は、車内に設置され、４つのトランスポンダ３０は４つのタイヤ内にそれぞれ設置されている。送受信器４０は、トランスポンダ３０がタイヤ空気圧などのタイヤ状態データを応答するように、問い合わせ電波を各タイヤ内のトランスポンダ３０に送信する。
【００１１】
送受信器４０は、各タイヤ内のトランスポンダ３０が感知したタイヤ状況情報を応答することができるように、無線で第１の期間内に問い合わせを各トランスポンダ３０に複数回送る。前記第１の期間は車両の速度に応じて決定され、また前記第１の期間内に送信される問い合わせ回数は前記車両の速度で変化する。例えば、車両速度が１００ｋｍより低いとき、問い合わせ回数は１分あたり一回であり、車両速度が１００ｋｍより高く２００ｋｍ以下であるとき、問い合わせ回数は1分あたり二回である。
【００１２】
送受信器４０が各トランスポンダ３０によって送信されたタイヤ状況情報を受信することができることを保証するために、送受信器４０のアンテナと、車輪のリムに設置されたトランスポンダ３０との間の相対角度は、トランスポンダ３０がタイヤの一回転での信号の送受信回数を決定するように、さらに考慮される。タイヤ状況監視装置は、前記数を以下の全５つの式で決定する。
【００１３】
式１は、車両速度が時速２０ｋｍであるときのタイヤ回転数／秒のＲ（２０）を計算することに役立つ。
【００１４】
式２は、車両速度が時速２０ｋｍであるときのタイヤの各回転に要する時間を計算することに役立つ。
【００１５】
式３は、車両速度が時速２０ｋｍであるときのタイヤの各回転中の最適な検出角度（アンテナ４１に関しての)範囲内に位置しているトランスポンダ３０の時間Ｔpを計算することに役立つ。
【００１６】
式４は、送受信器４０の各問い合わせに費やされる時間を差し引いた後の最適な検出角度（アンテナ４１に関し）範囲内に位置しているトランスポンダ３０の時間Ｔｋを計算することに役立つ。
【００１７】
式５は、車両速度が時速２０ｋｍであるときのタイヤの各回転中にＴｐ及びＴｋを使う送受信器４０と各トランスポンダ３０との間の問い合わせの回数を計算することに役立つ。
【００１８】
各トランスポンダ３０から送信されたタイヤ状況情報を正しく受信すべく、前記タイヤ状況監視装置は、特定の車両速度での各回転内でタイヤ状況情報を問い合わせる回数を計算するために多くの式を使用する。関連する多くの式の結果として、従来の前記監視装置は技術的により複雑であり、そのコストは比較的高い。
【先行技術文献】
【特許文献】
【００１９】
【特許文献１】米国特許第６，４８６，７７３号明細書
【特許文献２】台湾特許第２００７３６０７９号公報
【特許文献３】米国特許第６，９３１，９２３号明細書
【発明の概要】
【発明が解決しようとする課題】
【００２０】
本発明の目的は、複数の無線式タイヤ状況センサからデータを送信し、受信側でのデータ衝突を効果的に避けるための衝突回避方法を提供することにある。
【課題を解決するための手段】
【００２１】
前記した目的を達成すべく、車両に搭載された複数の無線式タイヤ状況センサからデータを送信するための前記衝突回避方法は、固有のＩＤ及び時間が異なる複数のウエイクアップ時間を有する各無線式タイヤ状況センサがタイヤ状況情報を感知すべく動作した後、各無線式タイヤ情報センサによって実行され、前記衝突回避方法は、
その前記ＩＤを読み取り、該ＩＤと第１の変数とで決定値を得るべく計算すること、
前記決定値が予め設定された条件を満たしているか否かを判定すること、
前記決定値に従って前記ウエイクアップ時間の一つを選択すること、
前記選択されたウエイクアップ時間が経過した後、前記感知されたタイヤ状況情報を送信すること、
更新計算条件を満たしているか否かを判定すること、及び
前記更新計算条件を満たしていれば、前記ＩＤ及び第２の変数で新たな決定値を計算し、また前記決定値が前記予め設定された条件を満たしているか否かを判定する前記ステップを再開すること、
の各ステップを含む。
【００２２】
上記した方法は、無線式タイヤ状況センサがデータを送信する前に対応するウエイクアップ時間を動的に選択すべく、また前記ウエイクアップ時間が経過した後に前記データを送信し始めるべく、車両に搭載された各無線式タイヤ状況センサの前記ＩＤ及び第１の変数を用いて計算する。各無線式タイヤ状況センサの前記ＩＤが固有であるので、前記無線式タイヤ状況センサは、データを異なるタイムスポットで送信すべく動作することができる。データ送信後、前記方法は、さらに、更新計算条件を満たしているか否かを決定し、もし肯定であれば、前記無線式タイヤ状況センサが異なるウエイクアップ時間の最小公倍数でデータ受信側に送信するときに生じるデータ衝突を効果的に避けるように、異なるウエイクアップ時間を選択すべく、前記ＩＤ及び第２の変数を用いてさらに計算する。
【００２３】
これに代えて、車両に搭載された複数の無線式タイヤ状況センサからデータを送信するための前記衝突回避方法は、固有のＩＤ及び複数の異なる時間ギャップを有し各時間ギャップは対応する無線式タイヤ状況センサの２つの連続する送信間で規定され、前記無線タイヤ状況センサがタイヤ状況情報を感知すべく動作した後に、各無線式タイヤ情報センサによって実行される衝突回避の前記方法は、
その前記ＩＤを読み取り、該ＩＤと第１の変数とで決定値を得るべく計算すること、
前記決定値が予め設定された条件を満たしているか否かを判定すること、
前記決定値に従って前記時間ギャップの一つを選択すること、
前記選択された時間ギャップに従って前記感知されたタイヤ状況情報を送信すること、
更新計算条件を満たしているか否かを判定すること、及び
前記更新計算条件を満たしていれば、前記ＩＤ及び第２の変数で新たな決定値を計算し、また前記決定値が前記予め設定された条件を満たしているか否かを判定する前記ステップを再開すること、
の各ステップを含む。
【００２４】
上記した方法は、無線式タイヤ状況センサがデータを送信する前に対応する時間ギャップを動的に選択すべく、また前記選択された時間ギャップに従って前記データを送信すべく、車両に搭載された各無線式タイヤ状況センサの前記ＩＤ及び第１の変数を用いて計算する。各無線式タイヤ状況センサの前記ＩＤが固有であるので、前記無線式タイヤ状況センサは、データを異なるタイムスポットで送信すべく動作することができる。データ送信後、前記方法は、さらに、更新計算条件を満たしているか否かを決定し、もし肯定であれば、前記無線式タイヤ状況センサが異なる時間ギャップの最小公倍数でデータ受信側に送信するときに生じるデータ衝突を効果的に避けるように、異なる時間ギャップを選択すべく、前記ＩＤ及び第２の変数を用いてさらに計算する。従来方法と比較すると、本発明は、データ送信中の受信側でのデータ衝突を避けて、これによって技術的複雑さやコストのより低減を達成するために、単にＩＤ及び第１の変数を用いてウエイクアップ時間又は時間ギャップを選択すべく計算する。
【００２５】
本発明の他の目的、利点及び新規な機能は、添付図面に関連する以下の詳細な説明から、より明白になるであろう。
【図面の簡単な説明】
【００２６】
【図１】本発明に係る複数の無線式タイヤ状況センサからデータを送信するための衝突回避方法の第１の実施形態のフローチャートである。
【図２】本発明に係る複数の無線式タイヤ状況センサからデータを送信するための衝突回避方法の第１の実施形態のフローチャートである。
【図３】従来の無線式タイヤ空気圧監視システムの概略図である。
【発明を実施するための形態】
【００２７】
図１を参照するに、本発明に係る複数の無線式タイヤ状況センサからデータを送信するための衝突回避方法の第１の実施形態は、タイヤ状態の情報を送信すべく無線式タイヤ空気圧監視システムに組み込まれた無線式タイヤ状況センサの動作プロセスを表す。例として四輪の車両を考えると、４つのタイヤのそれぞれの中には、無線式タイヤ状況センサが設置されており、すなわち、前記無線式タイヤ空気圧監視システムは、４つの無線式タイヤ状況センサを有し、各無線式タイヤ状況センサには、図１に例示するように、動作プロセスが組み込まれている。各無線式タイヤ状況センサは、固有のＩＤ（識別）と、異なる時間長さを有する複数のウエイクアップ時間とを備える。本実施形態では、各無線式タイヤ状況センサには、Ｔ１、Ｔ２、Ｔ３及びＴ４で示されているように、４つのウエイクアップ時間がその中に組み込まれている。各無線式タイヤ状況センサがタイヤ状況情報を検出するように作動するとき、前記衝突回避の方法は、前記無線式タイヤ状況センサによって実行され、以下のステップを有する。
【００２８】
ステップ１０１：ＩＤを読み取り、該ＩＤと第１の変数とで決定値を得るべく計算する。
【００２９】
ステップ１０２：前記決定値が予め設定された条件を満たしているか否かを判定する。
【００３０】
ステップ１０３：前記決定値に従ってウエイクアップ時間の一つを選択する。先に開示したように、各無線式タイヤ状況センサには、固有のＩＤと４つのウエイクアップ時間がその中に組み込まれている。前記ＩＤ及び前記第１の変数を用いて計算された前記決定値は、前記ウエイクアップ時間のどの一つが選ばれるかを決定する。各無線式タイヤ状況センサに組み込まれた前記ＩＤが固有であるので、前記ＩＤと前記第１の変数とを用いて計算された前記決定値によって選ばれた前記ウエイクアップ時間は、また固有である。
【００３１】
ステップ１０４：前記選択されたウエイクアップ時間が経過した後、前記感知されたタイヤ状況情報の送信を開始する。
【００３２】
ステップ１０５：更新計算条件を満しているか否かを判定する。本実施形態では、更新計算条件は、前記ＩＤを有する対応する無線式タイヤ状況センサが予め設定された時間を超えて動作したかあるいは予め設定された時間を超えてタイヤ状況情報が伝えられたか否かを判定するために使われる。
【００３３】
ステップ１０６：前記更新計算条件が満たされていると、前記ＩＤ及び第２の変数を用いて新たな決定値を計算し、再び感知されたタイヤ状況情報を送信するために異なるウエイクアップ時間を指定すべくステップ１０２を再開する。
【００３４】
本実施形態では、前記無線式タイヤ状況監視システムの各無線式タイヤ状況センサが作動した後、前記決定値が、対応するＩＤと第１の変数とを用いて対応するウエイクアップ時間を動的に選択すべく、計算される。前記選択されたウエイクアップ時間が経過した後、前記無線式タイヤ状況センサは、感知されたタイヤ状況情報を送信するために再び作動する。各無線式タイヤ状況センサの前記ＩＤが固有であるので、前記ＩＤ及び前記第１の変数を用いて計算された前記決定値に対応するウエイクアップ時間を動的に指定する方法は、前記無線式タイヤ状況監視システムのすべての前記無線式タイヤ状況センサが前記無線式タイヤ状況監視システムベムの受信側（無線式タイヤ状態受信機）で相互に衝突しないことによって、送信されたタイヤ状況情報を補償することができる。前記タイヤ状態条件情報が伝えられた後、さらに、更新計算条件が満たされているか否かを判定する。否定であれば、現ウエイクアップ時間で感知された前記タイヤ状況情報を送信する。そうでなければ、更新された決定値を計算する。本実施形態では、前記更新計算条件は、次のような場合の一つであり、すなわち、前記無線式タイヤ状況センサが例えば３０分のような時間にわたって作動を継続している場合、あるいはデータ送信の回数が例えば５０回のような特定の回数を超えるような場合である。前記条件のいずれかが満たされているなら、更新された決定値を計算する。本実施形態では、前記更新された決定値の計算は、前記無線式タイヤ状況センサによって読み取られた前記ＩＤと、第１の変数との加算によって実行される。したがって、すべての前記無線式タイヤ状況センサの前記ＩＤを用いて計算された前記決定値は相互に異なり、それ故、該決定値に従って選択された前記ウエイクアップ時間を相互に異ならせることができる。したがって、すべての前記無線式タイヤ状況センサによって送信されたタイヤ状況情報は、相互に衝突することはない。
【００３５】
図２を参照するに、本発明に係る複数の無線式タイヤ状況センサからデータを送信するための衝突回避方法の第２の実施形態は、前記ＩＤ及び第１の変数を用いて計算した後、他のパラメータである対応する無線式タイヤ状況センサの２つの連続的な送信間で定義される時間ギャップが、無線式タイヤ状況センサから送信されるタイヤ状況情報から生じるデータ衝突を全く生じないことを保証するように選ばれる点で、前記第１の実施形態と異なる。各無線式タイヤ状況センサがタイヤ状況情報を感知するために作動するとき、前記衝突回避の方法は、無線式タイヤ状況センサによって実行され、以下のステップを有する。
【００３６】
ステップ２０１：ＩＤを読み取り、該ＩＤと第１の変数とで決定値を得るべく計算する。
【００３７】
ステップ２０２：前記決定値が予め設定された条件を満たしているか否かを判定する。
【００３８】
ステップ２０３：前記決定値に従って複数の時間ギャップの一つを選択する。先に開示したように、各無線式タイヤ状況センサには、固有のＩＤと、ｔ１、ｔ２、ｔ３及びｔ４で示されるように、４つの時間ギャップがその中に組み込まれている。前記ＩＤ及び前記第１の変数を用いて計算された前記決定値は、前記時間ギャップのどの一つが選ばれるかを決定する。各無線式タイヤ状況センサに組み込まれた前記ＩＤが固有であるので、前記ＩＤと前記第１の変数とを用いて計算された前記決定値によって選ばれた前記時間ギャップは、また固有である。
【００３９】
ステップ２０４：前記選択された時間ギャップに従って前記感知されたタイヤ状況情報を送信開始する。
【００４０】
ステップ２０５：更新計算条件を満しているか否かを判定する。
【００４１】
ステップ２０６：前記更新計算条件が満たされていると、前記ＩＤ及び第２の変数を用いて新たな決定値を計算し、再び感知されたタイヤ状況情報を送信するために異なる時間ギャップを選択すべくステップ２０２を再開する。
【００４２】
本実施形態では、各無線式タイヤ状況センサには、ｔ１、ｔ2、ｔ3及びｔ４によって示されているように、４つの異なる時間ギャップが組み込まれている。前記ＩＤ及び前記第１の変数を用いて計算された計算結果によれば、前記時間ギャップの1つが感知されたタイヤ状況情報を送信するために選択される。各無線式タイヤ状況センサは、一つのデータ通信周期で、前記感知されたタイヤ状況情報を複数回送信する。前記時間ギャップは、各無線式タイヤ状況センサの２つの連続的なデータ通信の時差を表す。本実施形態では、３０ミリ秒（ｍｓ）が一つの単位として選ばれ、４つの異なる時間ギャップ、３０ｍｓ、６０ｍｓ、９０ｍｓ及び１２０ｍｓが提供される。各無線式タイヤ状況センサは、感知したタイヤ状況情報を伝えるために、ＩＤを用いた計算結果に従って４つの時間ギャップの一つを選択する。各無線式タイヤ状況センサの前記ＩＤが固有であるので、前記無線式タイヤ状況センサの前記ＩＤを用いて計算された計算結果は異なり、したがって、前記感知されたタイヤ状況情報を伝えるために前記無線式タイヤ状況センサによって選択された前記時間ギャップは、前記無線式タイヤ状況センサから送信された前記タイヤ状況情報間でデータ衝突を防止するように、相互に異なる。前記感知されたタイヤ状況情報が送信された後、さらに、更新計算条件を満たしているか否かを判定する。本実施形態では、前記更新計算条件は、次のような場合の一つが生じているか否かを判定するために使われており、すなわち、前記無線式タイヤ状況センサが例えば３０分のような時間にわたって作動を継続しているか、データ送信の回数が例えば５０回のような回数を越えているかのような場合である。前記条件のいずれかが満たされているなら、更新された決定値を計算する。本実施形態では、前記更新された決定値の計算は、前記無線式タイヤ状況センサによって読み取られた前記ＩＤと、第１の変数との加算によって実行される。したがって、すべての前記無線式タイヤ状況センサの前記ＩＤを用いて計算された前記決定値は相互に異なり、それ故、前記無線式タイヤ状況センサによって計算された前記決定値に従って選択された前記時間ギャップを相互に異ならせることができる。また、前記時間ギャップｔ１、ｔ２、ｔ３、およびｔ４は、漸増又は漸減するように予め設定することができる。したがって、すべての前記無線式タイヤ状況センサによって送信されたタイヤ状況情報は、相互に衝突することはない。
【００４３】
本発明の多くの特徴及び利点が構造の詳細及び本発明の機能と共に前述の説明で記載されたが、その開示は説明のために過ぎない。変更、特に、添付の特許請求の範囲で表現される用語の一般的な広い意味で示される完全な範囲までの発明の原則の中の部分のサイズ、および配置について詳細に起こされるかもしれない。変更、特に、形、付加された主張が表現される用語の広い一般的な意味によって示された完全な範囲までの発明の原理内で各部分の寸法及び配置の細部に起こされるかもしれない。変更は、特に、添付の特許請求の範囲が表現されている用語の広い一般的な意味によって示される及ぶ限りの範囲で本発明の原理内での部品の形状、寸法及び配置について、細部にわたって行うことができる。
【符号の説明】
【００４４】
７０  無線タイヤ圧力受信機
７１〜７４  無線式タイヤ状態センサ
【図１】
0005538347.tif 000002
【図２】
0005538347.tif 000003
【図３】
0005538347.tif 000004